(57)【要約】【課題】  最適な人間工学的走査角度に調節可能な走査ヘッドを提供すること。【解決手段】  走査エンジンの角度を機械的に調節して、その使用に最適な角度を与えることができるように、走査ヘッドをユーザの好むモードに応じて回転させることができる。その支持部において、カムは、最適な角度を与えるのに充分な働きをもたらす。回転カムピンは、走査エンジンの特定の角度へと調節する所定の高さにしたがって、カム通路を通して利用される。【選択図】  図２
2005310165.tif 000002
【特許請求の範囲】
【請求項１】
多数の角度に応じての走査ヘッドの調節を容易にする装置であって、
データフォームを走査するための走査エンジンと、
前記走査エンジンが設置されて、前記走査エンジンの最適な人間工学的角度への調節を容易にする調節アセンブリと、
を含むことを特徴とする装置。
【請求項２】
前記調節アセンブリは、前記走査エンジンを調節するための少なくとも２つの調節溝を含むカムを含んでおり、前記少なくとも２つの調節溝は、前記データフォームを走査するための対応する角度に関係付けられていることを特徴とする請求項１に記載の装置。
【請求項３】
前記走査エンジンが収容されるハウジングをさらに含むことを特徴とする請求項２に記載の装置。
【請求項４】
前記調節アセンブリは、前記走査エンジンが固定される設置基部をさらに含むことを特徴とする請求項１に記載の装置。
【請求項５】
前記調節アセンブリは、前記走査エンジンのための中心のずれた旋回点に役立つことを特徴とする請求項１に記載の装置。
【請求項６】
前記調節アセンブリは、携帯型デバイスに固定するモジュラーブラケットをさらに含むことを特徴とする請求項１に記載の装置。
【請求項７】
前記調節アセンブリは、前記走査エンジンを前記最適な人間工学的角度へと付勢する張力を与えるばねをさらに含むことを特徴とする請求項１に記載の装置。
【請求項８】
前記調節アセンブリは、異なる人間工学的角度を提供するために交換できるカムを含むことを特徴とする請求項１に記載の装置。
【請求項９】
前記調節アセンブリは、左方位置、右方位置、および前方位置のうちの１つへの前記走査エンジンの回転を容易にすることを特徴とする請求項１に記載の装置。
【請求項１０】
前記左方位置および前記右方位置のうちの少なくとも１つは、前記前方位置に関係付けられた角度よりも小さい人間工学的角度に対応することを特徴とする請求項９に記載の装置。
【請求項１１】
請求項１に記載の装置を使用することを特徴とする携帯型走査デバイス。
【請求項１２】
多数の角度に応じての走査ヘッドの調節を容易にする装置であって、
データフォームを走査するための走査エンジンと、
前記走査エンジンが設置されて、前記カムアセンブリの最適な人間工学的角度への調節を容易にする調節カムアセンブリと、
を含むことを特徴とする装置。
【請求項１３】
前記カムアセンブリは、モジュラーブラケットに取り付けられるカムを含み、前記カムおよび前記モジュラーブラケットはカム／ブラケットアセンブリを形成し、それは、前記データフォームの走査に最適な人間工学的角度の異なるセットを提供するために交換できることを特徴とする請求項１２に記載の装置。
【請求項１４】
前記カムアセンブリは、前記カムアセンブリが連結される携帯型デバイスに対する安定性のある機械的インターフェースおよび電気的インターフェースの少なくとも１つに役立つ底部をさらに含むことを特徴とする請求項１２に記載の装置。
【請求項１５】
前記底部は、左方位置、右方位置、および前方位置のうちの１つへの前記走査エンジンの回転を容易にすることを特徴とする請求項１２に記載の装置。
【請求項１６】
前記走査エンジンと前記カムアセンブリの一部分とが収められるハウジングをさらに含むことを特徴とする請求項１２に記載の装置。
【請求項１７】
前記ハウジングは孔を含み、それを通して前記走査エンジンが前記データフォームを走査できることを特徴とする請求項１６に記載の装置。
【請求項１８】
前記ハウジングは、前記走査エンジンの前記最適な人間工学的角度への回転を容易にすることを特徴とする請求項１６に記載の装置。
【請求項１９】
前記ハウジングは、前記走査エンジンと共に前記最適な人間工学的角度へ回転することを特徴とする請求項１６に記載の装置。
【請求項２０】
前記カムアセンブリは回転ピンを含み、それは、カムの溝の中に付勢されて前記走査エンジンを走査方向に固定することを特徴とする請求項１２に記載の装置。
【請求項２１】
多数の角度に応じての走査ヘッドを調節する方法であって、
データフォームを走査するための走査エンジンを受けるステップと、
前記走査エンジンを調節可能なカムに結合させるステップと、
前記走査エンジンを前記カム上の複数の設定の内の１つへと回転させて、前記走査エンジンの最適な人間工学的角度に到達させるステップと、
を含むことを特徴とする方法。
【請求項２２】
前記複数の設定は、前記データフォームを走査するための対応する角度に関係付けられた少なくとも２つの調節溝を含むことを特徴とする請求項２１に記載の方法。
【請求項２３】
前記走査エンジンを中心のずれた旋回点の周りで旋回させて、前記最適な人間工学的角度を容易にするステップをさらに含むことを特徴とする請求項２１に記載の方法。
【請求項２４】
前記カムを、前記データフォームの走査に望ましい人間工学的角度を提供する第２のカムと交換するステップをさらに含むことを特徴とする請求項２１に記載の方法。
【請求項２５】
結合の作用は、前記走査エンジンからばねを通して前記カムへとロッドを延在させることによって起こることを特徴とする請求項２１に記載の方法。
【請求項２６】
前記ロッドは回転ピンを含み、それは、前記ロッドを一端において垂直に貫通して延在して、前記複数の設定の内の１つで前記カムに係合することを特徴とする請求項２５に記載の方法。
【請求項２７】
前記走査エンジンをデバイスに設置可能とするように、前記カムをモジュラーブラケットに取り付けるステップをさらに含むことを特徴とする請求項２１に記載の方法。
【請求項２８】
多数の角度の１つ応じての走査ヘッドの調節を容易にするシステムであって、
前記走査ヘッドをデバイスに結合させるための手段と、
前記走査ヘッドを複数の位置の１つへと回転させて、最適な人間工学的角度に到達させる手段と、
を含むことを特徴とするシステム。
【請求項２９】
前記回転させる手段は、前記走査ヘッドを前記複数の位置の１つにロックするカム手段を含むことを特徴とする請求項２８に記載のシステム。
【請求項３０】
前記デバイスは、携帯型の手持ちデバイスであることを特徴とする請求項２８に記載のシステム。
【請求項３１】
前記走査ヘッドを、ロックされる位置である１つの位置へ付勢するための手段をさらに含むことを特徴とする請求項２８に記載のシステム。
【請求項３２】
ハウジング手段をさらに含み、それは、前記複数の位置の１つへの前記走査ヘッドの回転および前記走査ヘッドのロックの内、少なくとも一方を容易にすることを特徴とする請求項２８に記載のシステム。
【請求項３３】
前記走査ヘッドが前記最適な人間工学的角度へと旋回するように、前記結合させるための手段を旋回させる手段をさらに含むことを特徴とする請求項２８に記載のシステム。
【発明の詳細な説明】
【技術分野】
【０００１】
本発明は、データフォーム走査デバイス(dataform scanning devices)に関し、より詳細には、最適な走査をもたらすように旋回する走査ヘッドを備えた走査デバイスに関する。
【背景技術】
【０００２】
データフォーム(dataform)の走査は、製品開発、製造、および販売の多くの分野で広く使用される処理である。個々の部品から全体的な製品自体まで、システムおよび従業員を使用して、全処理を通じてデータフォームを走査することができる。長期間にわたって使用するのに最も効率的かつ人間工学的な設計を提供するために、携帯型操作システム（handheld scanning systems）が発展し続けている。
【０００３】
例えば、小売環境用のデータ収集（data capture）における１つの機能向上は、小さな”ポイントアンドスキャン（point-and-scan）”手持ち型スキャナ（handheld scanners）の人間工学および単一回線機能（single-line capabilities）の改善と、高性能の「読取り失敗のない（can't miss-first pass）」全方向走査パターンの生産性利益と、を組み合わせる。そのような機能は、大規模の小売環境において、販売時点での処理量を増加させる多用途の手持ち型スキャナを提供する活用例を見出す。他の手持ち型の走査製品は、トリガ式単一回線走査（triggered single-line scanning）によるフルタイム全方向走査(full-time omni-directional scanning)、トリガ式全方向走査、またはトリガ式単一回線走査を含む３つの動作モードのいずれかで機能することができ、例えば、それらは走査の成功およびユーザ人間工学を最適化するために提供される。
【発明の開示】
【発明が解決しようとする課題】
【０００４】
側部走査型の人間工学（side scanning ergonomics）および前面走査型の人間工学（front scanning ergonomics）についての走査角度の従来の最適化には、依然として改善の余地があり、その改善には、単一の回転中心の走査ヘッド(single rotation pivot point scan head)の使用を含めることができる。しかし、単一の回転中心は最善の解決策を与えない。側部走査型または前面走査型の人間工学のいずれか一方が犠牲にされて、ユーザに望ましくない人間工学を余儀なくすることになり、集中利用時の疲労を増大させる。
【０００５】
改善された走査メカニズムが必要とされている。
【課題を解決するための手段】
【０００６】
本発明のいくつかの態様の基本的な理解を深めるために、以下に、本発明の簡単な概要を提示する。この概要は、本発明の包括的概観ではない。それは、本発明の鍵／重要の要素を特定するためや、本発明の範囲を線引きするためのものではない。その唯一の目的は、後で提示するより詳細な説明の前置きとして、本発明のいくつかの構想を簡略な形態で提示することである。
【０００７】
ここに開示かつ請求する本発明は、その一態様において、ユーザの好むモードにしたがって回転される走査ヘッドを含み、データフォームの走査に最適な人間工学的角度を提供するように、走査エンジンの角度を機械的に調節する。その支持部において、カムアセンブリは、最適な角度をもたらすのに充分な働きを提供する。カムアセンブリは回転カムピンを含み、それは、走査エンジンの特定の角度に適合する所定の高さにしたがって、カム通路を通して利用される。
【０００８】
本発明の他の態様において、カムの高さは、さらに、中にカム機構が組み立てられる固定ブラケットを交換することによっても調節可能である。
【０００９】
本発明の他の態様においては、走査ヘッドを組み込む手持ち型の走査デバイスが提供される。
【００１０】
前述の目的および関連目的を達成するために、本発明の特定の例示的態様は、以下の説明および添付図面に関連して説明される。ただし、これらの態様は、本発明の原理を使用できる様々な方法のほんの数例を示すものであり、本発明には、そのような態様およびそれらの同等物の全てを含めることが意図されている。本発明の他の利点および新規特徴は、以下の本発明の詳細な説明を各図面と併せて考慮すれば明らかになる。
【発明を実施するための最良の形態】
【００１１】
いま、本発明が各図面を参照して説明され、ここで、同様の参照番号は、全体を通じて同様の要素を示すために用いられる。以下の説明では、本発明の充分な理解が得られるように、説明の目的で多数の具体的な詳細を述べる。ただし、これらの具体的な詳細なしに、本発明を実施できることは明らかである。他の場合においては、本発明の説明を容易にするために、公知の構造およびデバイスをブロック図の形態で示す。
【００１２】
本願においても用いられる用語の「コンポーネント」および「システム」は、コンピュータ関連エンティティ（computer-related entity）、すなわち、ハードウェア、ハードウェアとソフトウェアとの組合せ、ソフトウェア、または実行中ソフトウェアのいずれかを指すことが意図される。例えば、コンポーネントは、これに限られるものではないが、プロセッサで動作する処理、プロセッサ、オブジェクト、実行可能ファイル、実行スレッド（thread of execution）、プログラム、および／またはコンピュータとすることができる。例として、サーバで動作するアプリケーションとサーバとの両方をコンポーネントとすることができる。１つもしくは複数のコンポーネントは、１つの処理および／または実行スレッド内に存在することができ、また、１つのコンポーネントは、１つのコンピュータ上に局限、および／または２つ以上のコンピュータ間に分散させることができる。
【００１３】
ここで図１を参照すると、本発明による調節可能な走査ヘッドアセンブリ１００の等角図が示されている。アセンブリ１００は、エンジン設置基部１０４を含む調節可能アセンブリ上に設置された走査エンジンアセンブリ１０２を含み、その基部１０４は、張力を受けて角度調節カム１０６と結合される。カム１０６は環状部材（またはパイプ）であり、それは末端部１１２にロック溝１０８と静止溝１１０を含み、その近接端部１１４はモジュラーブラケット１１６に取り付けられる。モジュラーブラケット１１６は、走査ヘッドアセンブリ１００が上に設置される携帯型走査デバイスのメインハウジング（図示せず）に載る。走査エンジン１０２は、その底部１１８が示されている走査ヘッドハウジング（図示せず）内に収納される。
【００１４】
設置基部１０４には、その末端部１２２が中心軸１２４に沿ってカム１０６を貫通して延在する設置ロッド１２０が取り付けられる。ロッド１２０の末端部１２２は、その設置ロッド１２０に対してほぼ垂直に延在して、ロッド末端部１２２を貫通する回転ピン１２６を含む。回転ピン１２６は、引張ばね（この図では見えない）によって、カム１０６の末端部１１２の表面に接触するように付勢される。
【００１５】
カム１０６の末端部１１２は湾曲されており、静止溝１１０内にあるときには走査エンジン１０２の第１（より高い角度）の位置、またロック溝１０８内に位置決めされたときには、走査エンジン１０２をより低い走査角度に調節する第２（低角度）の位置を容易にする。
【００１６】
カム１０６に設計された異なる２つの角度調節が示されているが、例えば、１つの追加のロック溝が走査エンジン１０２を調節できる３つの異なる角度を容易にするように、カム１０６を、カム１０６の湾曲した末端部１１２に沿う１つまたは複数の追加のロック溝に対応するように設計できることは、当業者に理解されるはずである。そのような機能に対応するために、ユーザは、単に、カム／ブラケットアセンブリ（１０６／１１６）を、カム１０６が各ロックステップ間に所望の上昇差動装置（rise differential）を有するアセンブリに交換すればよく、それは所望の走査ヘッド角度に変化させる。ここでは、２つのステップが示されており、現在の位置からロック溝１０８への回転ピン１２６の上昇は、走査エンジン１０２の高角度位置から走査エンジン１０２の低角度位置へとそれぞれ移動させる。現在の実施において、ロック溝１０８と静止位置は位相が９０度ずれている。走査エンジン１０２を異なる３つの角度に調節できる３角度型の実施において、静止位置および他の２つのロック溝は、それぞれ互いに位相が６０度ずれることになる。
【００１７】
カム／ブラケットアセンブリ（１０６／１１６）は、現時点では、静止溝１１０がブラケット１１６の長手軸１２８に沿って並ぶような向きに向けられている。ただし、ロック溝が軸１２８と並ぶように、カム１０６をブラケット１１６内に取り付けることができることは理解される。
【００１８】
操作時に、走査ヘッドアセンブリ１００が取り付けられるデバイスのユーザは、手で走査エンジンアセンブリ１０２（または、その周りのハウジング）を掴み、走査エンジン１０２を所望の位置へと時計回りまたは反時計回りに９０度回転させる。勿論、ユーザが現在の位置で満足している場合には、回転は必要ない。
【００１９】
他の実施において、アセンブリ１００は電気機械駆動メカニズム（electromechanical drive mechanism;図示せず）を含むことができ、それによって、デバイスパネル上のボタンをユーザが押すことに応答してエンジン１０２の回転が生じる。
【００２０】
ここで図２を参照すると、図１の走査ヘッドアセンブリの断面図が示されている。走査エンジン１０２はエンジン基部１０４上に設置される。エンジン基部１０４は、さらに、設置ロッド１２０に対する基部１０４の連結を容易にする継手（coupling）２００を含む。継手２００は結合ピン２０２を含み、それは、継手２００および設置ロッド１２０の近接端部２０４を貫通して延在し、そこに基部１０４を固定する。エンジンハウジングの走査ヘッドハウジング底部１１８は、引張ばね２０８の一端が収められる凹部２０６を含む。引張ばね２０８の他端は、継手２００に接して張力を受ける。
【００２１】
継手２００は、基部１０４の中心からずれるように設計されて、結合ピン２０２は、基部１０４のための中心のずれた旋回点（off-centered pivot point）として働く。旋回されると、基部１０４は、静止点２１０にてハウジング底部１１８に接触し、その静止点２１０は、片側がハウジング底部１１８の表面、かつ片側がエンジン基部１０４の底部である旋回角度（θ）２１２の頂点として働く。ゆえに、回転ピン１２６が静止溝内に位置決めされるように走査エンジン１０２を回転させることによって、確実に、走査エンジン１０２が最大の人間工学的角度（ergonomic angle）で動作するようになる。また、回転ピンがロック溝内に静止するように走査エンジン１０２を回転させることによって、確実に、走査エンジン１０２が最小限の人間工学的角度しか動かなくなる。
【００２２】
ここで図３を参照すると、本発明による人間工学的調節（ergonomic adjustments）を用いる処理のフローチャートが示されている。説明を簡単にするために、ここに示された１つまたは複数の方法は、例えばフローチャートの形態で一連の行為として示され説明されるが、一部の行為は、本発明にしたがって、ここに示され説明されたものとは異なる順序、および／または他の行為と同時に起きてもよいので、本発明が行為の順序によって制限されないことは理解かつ認識されるべきである。例えば、代替的に、状態図などのように、相関のある一連の状態または事象として方法を表すこともできることは、当業者に理解かつ認識されよう。さらに、本発明にしたがって方法を実施するために、説明される行為の全ては必要とされなくてもよい。
【００２３】
３００にて、走査ヘッドアセンブリは、データフォームを走査する携帯型デバイス上に設置される。３０２にて、ユーザは、デバイスおよび走査ヘッドについて、望ましい人間工学的な向き(ergonomic orientation)を選ぶ。３０４にて、ユーザは、走査エンジン角度の調節を選ぶことができる。その場合、３０６にて、ユーザは、走査ヘッドを望ましい向きへ回転させることによって、走査角度を調節する。３０８にて、ユーザは、与えられた走査用途のために、その調節が満足のいくものであるかどうかを判定する。ユーザにとって、まだ人間工学的に適切でない場合、３１０にて、ユーザは、所望の人間工学的角度を得るために、再度、走査ヘッドを回転、および／またはカム／ブラケットアセンブリを交換することができる。そして３１２にて、ユーザは、それにしたがって走査ヘッドを操作する。そして、処理が停止ブロックに到達する。
【００２４】
また代わりに、３０４にて、人間工学的角度が満足のいくものである場合、調節の必要はなく、フローが３１２へと進んでシステムを単純に操作する。３０６にて、調節後に人間工学的角度が満足のいくものである場合、フローが３１２へと進み、利用には走査ヘッドおよびデバイスの操作が必要になる。
【００２５】
ここで図４Ａを参照すると、ここには、調節可能な走査ヘッドアセンブリ１００が取り付けられた携帯型走査デバイス４００が示される。デバイス４００は、前部４０２、背部４０４、および右側部４０６を有する。この図において、左側部は見えない。走査ヘッドアセンブリ１００は、携帯型走査デバイス４００のハウジングに接してしっかりと固定するヘッドハウジング（図示せず）の底部１１８を含む。アセンブリ１００は、最大の人間工学的旋回角度（ergonomic pivot angle）を用いて、データフォーム４０８（例えば、２−Ｄや３−Ｄ）を走査するために、前面走査位置（front scanning position））に調節されている。
【００２６】
ここで図４Ｂを参照すると、本発明による走査ヘッド回転について、左走査の透視図４１０が示されている。ここでは、見ているのは、ページの前面がデバイス４００の前部４０２になる視点であり、走査アセンブリ１００は、左に位置決めされるデータフォームを走査するように調節されている。走査ヘッドエンジン１０２は、走査エンジン１０２の形状に応じて設置される走査電子機器（scan electronics）４１２を含む。回転ピン１２６がカム１０６のロック溝１０８内にあるので、走査ヘッドアセンブリ１００は、最小の人間工学的旋回角度に調節されて示されている。
【００２７】
ここで図４Ｃを参照すると、本発明による走査ヘッド回転について、前面走査の透視図４１４が示されている。ここでは、見ているのは、ページ前面がデバイス４００の前部４０２になる視点であり、走査アセンブリ１００は、正面に位置決めされるデータフォームを走査するように調節されている。回転ピン１２６がカム１０６の静止溝１１０内にあるので、走査ヘッドアセンブリ１００は、最大の人間工学的旋回角度に調節されて示されている。
【００２８】
ここで図４Ｄを参照すると、本発明による走査ヘッド回転について、右走査の透視図４１６が示されている。ここでは、見ているのは、ページ前面がデバイス４００の前部４０２になる視点であり、走査アセンブリ１００は、右に位置決めされるデータフォームを走査するように調節されている。回転ピン１２６がカム１０６のロック溝１０８内にあるので、走査ヘッドアセンブリ１００は、最小の人間工学的旋回角度に調節されて示されている。
【００２９】
ここで図５Ａを参照すると、前方向に走査するように調節された走査ヘッドハウジング５００の内部に、走査ヘッドアセンブリ１００が設置された携帯型走査デバイス４００の等角図が示されている。ハウジング５００は、走査ウィンドウ５０２を概ねデバイス４００の背部４０４の方向である前方向に向けるように、ユーザによって手動で調節される。
【００３０】
ここで図５Ｂを参照すると、右方向に走査するように調節された走査ヘッドハウジング５００の内部に、走査ヘッドアセンブリ１００が設置された携帯型走査デバイス４００の等角図が示されている。ハウジング５００は、走査ウィンドウ５０２をやはり概ねデバイス４００の右側部４０６の方向である右方向に向けるように、ユーザによって手動で調節される。
【００３１】
ここで図５Ｃを参照すると、左方向に走査するように調節された走査ヘッドハウジング５００の内部に、走査ヘッドアセンブリ１００が設置された携帯型走査デバイス４００の等角図が示されている。ハウジング５００は、走査ウィンドウ５０２をやはり概ねデバイス４００の左側部５０４の方向である左方向に向けるように、ユーザによって手動で調節される。ハウジング５００は、さらにインジケータ５０６を含み、それはユーザが見ることができて、いくつかの異なる状況、例えば走査が成功した状況（第１の色）、および走査が成功しなかった状況（第２の色）などを示す。
【００３２】
ここで図６Ａを参照すると、本発明による調節可能な走査ヘッドアセンブリ１００に適合する携帯型走査デバイス４００の正面図が示されている。アセンブリ１００はハウジング底部１１８を含み、それは、デバイス４００のハウジングに連結して、走査アセンブリ１００とデバイス４００との間に安定な機械的および電気的な結合をもたらす。デバイス４００は、少なくともデータフォームの構成および走査に関係した情報を提示するためのディスプレイ６００を含む。デバイス４００は、さらに、ハンドル部分６０４の一部として、デバイス４００およびデバイス４００の他の機構の入力ならびに構成を受け入れるために、キーパッド６０２を含む。少なくともユーザが走査電子機器を起動できるように、ユーザが選択可能なボタン６０６が含まれる。インジケータ６０８は、電源のオン／オフやバッテリ状態などを含むデバイス４００の様々な動作に関する表示を与える。
【００３３】
ここで図６Ｂを参照すると、本発明による調節可能な走査ヘッドハウジング５００に適合する携帯型走査デバイス４００の側面図が示されている。デバイス４００は、バッテリコンパートメント（battery compartment）を覆うバッテリカバー６１０を含む。
【００３４】
ここで図６Ｃを参照すると、本発明による調節可能な走査ヘッドハウジング５００に適合する携帯型走査デバイス４００の背面図が示されている。そのデバイスは、走査ヘッドアセンブリおよびハウジング５００の調節を容易にするスライド式サムスイッチ（slidable thumb switch）６１２を含む。
【００３５】
ここで図７を参照すると、本発明の一態様による携帯型の手持ち端末デバイス７００（携帯型走査デバイス４００に類似）の概略ブロック図が示されており、プロセッサ７０２は、デバイス７００の全般的操作の制御を担っている。プロセッサ７０２は、ここで説明される様々な機能を実行するために、デバイス７００内の様々なコンポーネントを制御および操作するようにプログラムされる。プロセッサ７０２は、適切な複数のプロセッサのいずれかにしてもよい。本発明に関する機能を実行するようにプロセッサ７０２にプログラムできる方式は、ここに提示される説明に基づけば当業者にはすぐに明らかとなる。
【００３６】
プロセッサ７０２に接続されるメモリ７０４は、プロセッサ７０２によって実行されるプログラムコードを格納する働きをし、さらに、受信トランザクション情報（receipt transaction information）などの情報を格納する格納手段としての働きもする。メモリ７０４は、表示される少なくとも完全な１セットの情報を格納するように適切に適合された不揮発性メモリとしてもよい。したがって、メモリ７０４は、プロセッサ７０２による高速アクセスのためのＲＡＭまたはフラッシュメモリ、および／または、例えば、テキスト、画像、オーディオ、およびビデオコンテンツを含むギガバイトクラス（gigabytes）のデータを格納可能なマイクロドライブなどの大容量記憶メモリを含むことができる。一態様によれば、メモリ７０４は、情報の多数のセットの格納に充分な記憶容量を有しており、またプロセッサ７０２は、ディスプレイ情報の様々なセット間において交替または循環させるプログラムを含むことができる。
【００３７】
ディスプレイ７０６は、ディスプレイドライバシステム７０８を介してプロセッサ７０２に結合される。ディスプレイ７０６は、カラー液晶ディスプレイ（ＬＣＤ）またはプラズマディスプレイなどとしてもよい。この例において、ディスプレイ７０６は、１６階調グレイスケールの１／４ＶＧＡディスプレイである。ディスプレイ７０６は、データ、グラフィックス、または他の情報コンテンツを提示する働きをする。例えば、ディスプレイ７０６は、１セットの顧客情報を表示してもよく、それはオペレータに表示され、システムバックボーン（system backbone；図示せず）を通して送信してもよい。加えて、ディスプレイ７０６は、デバイス７００の実行を制御する様々な機能を表示してもよい。ディスプレイ７０６は、英数字および図形文字を表示可能である。
【００３８】
電力は、内蔵電源システム（onboard power system）７１０（例えば、バッテリパック）によって、プロセッサ７０２、および手持ちデバイス７００を形成する他の各コンポーネントに供給される。電源システム７１０が故障、またはデバイス７００との接続が切れた場合には、補助電源７１２を使用して、プロセッサ７０２に電力を供給し、内蔵電源システム７１０に充電することができる。デバイス７００のプロセッサ７０２は、予想される電源異常が検出されると、スリープモードを起動して電流の引込みを低減する。
【００３９】
端末７００は通信サブシステム７１４を含み、それは、プロセッサ７０２を遠隔のコンピュータとインターフェース接続するために使用されるデータ通信ポート７１６を含む。ポート７１６は、ＵＳＢおよびＩＥＥＥ１３９４シリアル通信機能のうちの少なくとも１つを含むことができる。さらに他の技術、例えばＩｒＤＡポートを使用する赤外線通信も含めることができる。
【００４０】
デバイス７００は、さらに、プロセッサ７０２と動作通信（operative communication）するＲＦトランシーバセクション７１８を含むことができる。ＲＦセクション７１８はＲＦ受信機７２０を含み、それは、アンテナ７２２を介して遠隔デバイスからＲＦ信号を受け取り、その信号を復調して、その中に変調されていたデジタル情報を得る。さらにＲＦセクション７１８は、例えば、ユーザ入力デバイス７２６（例えば、キーパッド）を介した手動のユーザ入力に応答して、またはトランザクションの完了もしくはプログラムされた他の所定の基準に自動的に応答して、情報を遠隔デバイスへと送信するＲＦ送信機７２４を含む。トランシーバセクション７１８は、例えば、製品または品目ＲＦタグと共に使用される受動的または能動的なトランスポンダシステムとの通信を容易にする。プロセッサ７０２は、トランシーバ７１８を介して遠隔トランスポンダシステムに信号（またはパルス）を送り、タグメモリの内容を読み取るためにリターン信号を検出する。１つの実施において、ＲＦセクション７１８は、さらに、デバイス７００を使用する電話通信を容易にする。その促進のために、マイクロホン（もしくは、類似のオーディオ入力デバイス）からの音声入力、および（スピーカもしくは類似のオーディオ出力デバイスからの）オーディオ出力信号を処理するように、プロセッサ７０２によって制御されるオーディオＩ／Ｏセクション７２８が備えられる。他の実施においては、デバイス７００が音声認識機能を提供してもよく、これにより、デバイス７００が単純に音声レコーダとして使用されるときに、プロセッサ７０２は、音声信号から、ローカル編集およびレビューのためのテキストコンテンツへの高速変換を容易にし、および／または、その後のコンピュータのワードプロセッサなどの遠隔システムへのダウンロードを容易にすることができる。同様に、キーパッド７２６を介した手動入力を用いる代わりに、変換された音声信号を用いてデバイス７００を制御してもよい。
【００４１】
さらに、プリンタ７３０、署名パッド（signature pad）７３２、磁気ストリップ読取装置７３４などの内蔵周辺デバイス（onboard peripheral devices）は、デバイス７００のハウジング内に設けたり、または１つもしくは複数の外部ポートインターフェース７１６を通して、それら内蔵周辺デバイスに永久的に対応することができる。
【００４２】
さらにデバイス７００は、デバイス７００によって記憶し、またディスプレイ７０６によって表示するために、ユーザが画像および／またはショートムービーを記録できるように画像取込みシステム７３６を含むことができる。加えて、商品に関係付けられたデータフォームを走査するために、データフォーム読取システム７３８が含まれる。これらの画像システム（imaging systems；７３６および７３８）が両方の機能を実施可能な単一のシステムにできることは、認識されるべきである。
【００４３】
前述した内容には、本発明の各実施例が含まれる。言うまでもなく、本発明を説明するために、各コンポーネントまたは各方法の考えられるあらゆる組合せを記述することは不可能であるが、本発明の他の多くの組合せおよび順列が可能であることは、当業者には認識されよう。したがって、本発明は、冒頭の特許請求の範囲の精神および範囲内に入るそのような全ての変更、修正、および変形形態に及ぶことが意図される。さらに、詳細な説明または特許請求の範囲において用語の「含む（includes）」が使用される範囲では、この用語は、特許請求の範囲で使用されるときの用語「含む(comprising)」が他動詞として解釈されるので、この用語「含む(comprising)」と同様に包括的であることが意図されている。
【図面の簡単な説明】
【００４４】
【図１】本発明による調節可能な走査ヘッドアセンブリの等角図である。
【図２】図１の走査ヘッドアセンブリの断面図である。
【図３】本発明による人間工学的調節を用いる処理のフローチャートである。
【図４Ａ】調節可能な走査ヘッドアセンブリが取り付けられた携帯型走査デバイスを示す図である。
【図４Ｂ】本発明による走査ヘッド回転について左走査の透視図である。
【図４Ｃ】本発明による走査ヘッド回転について前面走査の透視図である。
【図４Ｄ】本発明による走査ヘッド回転について右走査の透視図である。
【図５Ａ】前方向に走査するように調節された走査ヘッドハウジング内部に、走査ヘッドアセンブリが設置された携帯型走査デバイスの等角図である。
【図５Ｂ】右方向に走査するように調節された走査ヘッドハウジング内部に、走査ヘッドアセンブリが設置された携帯型走査デバイスの等角図である。
【図５Ｃ】左方向に走査するように調節された走査ヘッドハウジング内部に、走査ヘッドアセンブリが設定された携帯型走査デバイスの等角図である。
【図６Ａ】本発明による調節可能な走査ヘッドアセンブリに適合する携帯型走査デバイスの正面図である。
【図６Ｂ】本発明による調節可能な走査ヘッドハウジングに適合する携帯型走査デバイスの側面図である。
【図６Ｃ】本発明による調節可能な走査ヘッドハウジングに適合する携帯型走査デバイスの背面図である。
【図７】本発明の一態様による携帯型の手持ち端末デバイスの概略ブロック図であり、プロセッサが当該デバイスの全般的操作の制御を担う。
【図１】
2005310165.tif 000003
【図２】
2005310165.tif 000004
【図３】
2005310165.tif 000005
【図４Ａ】
2005310165.tif 000006
【図４Ｂ】
2005310165.tif 000007
【図４Ｃ】
2005310165.tif 000008
【図４Ｄ】
2005310165.tif 000009
【図５Ａ】
2005310165.tif 000010
【図５Ｂ】
2005310165.tif 000011
【図５Ｃ】
2005310165.tif 000012
【図６Ａ】
2005310165.tif 000013
【図６Ｂ】
2005310165.tif 000014
【図６Ｃ】
2005310165.tif 000015
【図７】
2005310165.tif 000016
【外国語明細書】
2005310165000001.pdf